(57)【要約】  周縁に接着部が形成され、接着部近傍に形成されるノッチ（４）から破り開封される包装形態において、内容物を破り進行方向（９）に配置し、且つ、破り進行方向（９）と内容物が斜めに接触する配置にすることを特徴とし、必然的に、開封方法は、ノッチ（４）を起点として破り目が内容物に対して斜めに進行する工程と、破り目が前記内容物に接触もしくはその近傍に到達すると、破り目は２つに分断され、一方の破り目はそのまま進行していくが、他方の破り目は内容物に沿って屈曲して進行する工程と、内容物の端部が露出する工程、を有する。
2013018370.tif 000002
【特許請求の範囲】
【請求項１】
略矩形状の内容物を内包する包装袋であって、
基材層と接着層とを有する包装用フィルムと、
前記接着層面が互いに対向するように重ね合わせて前記包装用フィルムの周縁を互いに接着することで形成される周縁接着部と、
前記周縁接着部に形成された破り開始点と、
前記破り開始点からの破り進行方向に対して斜めに配置された内容物と、
を備えている易開封包装袋。
【請求項２】
前記破り開始点は、その破り開始点を示すノッチである、
請求項１に記載の易開封包装袋。
【請求項３】
前記破り開始点は、その破り開始点を示す図柄模様である、
請求項１に記載の易開封包装袋。
【請求項４】
前記内容物は、前記破り開始点による破り進行方向に対して、５°〜８５°の角度で配置されている、
請求項１に記載の易開封包装袋。
【請求項５】
前記破り開始点が形成されている前記周縁接着部の領域は、前記内容物方向に突出している、
請求項１に記載の易開封包装袋。
【請求項６】
前記ノッチは、単なる切込み形状、またはノッチからの破り進行方向に向けて先端が細くなっている形状を有している、
請求項２に記載の易開封包装袋。
【請求項７】
前記周縁接着部は、前記包装用フィルムの外縁部に形成されている、
請求項１に記載の易開封包装袋。
【請求項８】
前記周縁接着部の少なくとも一部は、前記包装用フィルムの外縁部より内側に形成され、
前記破り開始点は前記包装用フィルムの外縁部に形成されている、
請求項１に記載の易開封包装袋。
【請求項９】
前記周縁接着部は、１枚の前記包装用フィルムを折り曲げることによって生じる１辺以外の周縁に形成される、
請求項１に記載の易開封包装袋。
【請求項１０】
前記包装用フィルムは、少なくとも２枚の包装用フィルムを重ね合わせて構成される、
請求項１に記載の易開封包装袋。
【請求項１１】
前記包装用フィルム上において、前記破り開始点からの開封時の破り進行方向を前記内容物に誘導する破断線が形成され、
この破断線と前記内容物との接触角度は、５°〜８５°である、
請求項１に記載の易開封包装袋。
【請求項１２】
前記包装用フィルムにおける前記内容物の周辺領域が、ブリスター構造になっている、
請求項１に記載の易開封包装袋。
【請求項１３】
前記周縁接着部は、熱可塑性樹脂層を含む、
請求項１に記載の易開封包装袋。
【請求項１４】
前記包装用フィルムと前記周縁接着部の少なくとも一方は、略四角形状である、
請求項１に記載の易開封包装袋。
【請求項１５】
前記包装用フィルムの一方の厚み幅は、前記重ね合わせた他方の包装用フィルムの厚み幅よりも薄い、
請求項１に記載の易開封包装袋。
【請求項１６】
前記内容物の形状ラインに沿って屈曲して進行する破り目側の包装用フィルムの厚み寸法は、そのまま進行していく破り目側の包装用フィルムの厚み寸法より短い、
請求項１５に記載の易開封包装袋。
【請求項１７】
前記包装用フィルム上において、前記破り開始点からの開封時の破り目が前記内容物に接触もしくはその近傍に到達すると、前記破り目は２つに分断され、
第１の破り目はそのまま進行していくが、第２の破り目は前記内容物に沿って屈曲して進行する、
請求項１に記載の易開封包装袋。
【請求項１８】
前記破り開始点の位置は、前記包装用フィルムの外縁部に形成され、前記内容物の長手方向の辺の上端と下端の間にある、
請求項１７に記載の易開封包装袋。
【請求項１９】
前記内容物が、前記包装用フィルムの長手方向に対して、５°〜８５°の角度で配置される、
請求項１に記載の易開封包装袋。
【請求項２０】
前記内容物は、試料成分を測定するバイオセンサである、
請求項１７記載の易開封包装袋。
【請求項２１】
前記包装用フィルム上において、前記バイオセンサは、前記破り開始点からの開封側に、前記バイオセンサの試料点着部側が露出するように配置されている、
請求項２０に記載の易開封包装袋。
【請求項２２】
前記包装用フィルムに設けられており、前記バイオセンサを防湿するための乾燥剤を保持させる乾燥領域部を、さらに備えている、
請求項２０に記載の易開封包装袋。
【請求項２３】
基材層と接着層とを有する包装用フィルムを、その前記接着層面が互いに対向するように重ね合わせて、前記包装用フィルムの周縁を互いに接着することで周縁接着部を形成し、前記周縁接着部に少なくとも１つ以上のノッチまたは破り開始点を示す図柄模様が形成された包装袋内の内容物を、前記ノッチまたは破り開始点を示す図柄模様を起点として前記包装袋を引き裂くことにより開封して取り出す易開封包装袋の開封方法であって、
前記ノッチまたは破り開始点を示す図柄模様を起点として破り目が前記内容物に対して斜めに進行する工程と、
前記破り目が前記内容物に接触もしくはその近傍に到達すると、破り目は２つに分断され、第１の破り目はそのまま進行していくが、第２の破り目は前記内容物に沿って屈曲して進行する工程と、
前記内容物の端部を露出させる工程と、
を備えている易開封包装袋の開封方法。
【発明の詳細な説明】
【技術分野】
【０００１】
本発明は、ノッチまたは破り開始点を示す図柄模様から接着部を破り、容易に開封できる易開封包装袋に関する。
【背景技術】
【０００２】
従来、易開封包装袋は、飲食品、工業製品、医薬品等、多岐にわたる分野において、商品を充填包装する密封袋であって、密封するために接着剤等を必要とせず、単に熱融着するだけでよいので、種々の形態のものが開発されている。【０００３】
医療分野においては、血糖値測定用電極等のように細長い扁平な製品を包装するための易開封包装袋が用いられている。この密封された袋に充填された商品を購入した消費者の視点に立ち、密封袋を開封する際に、鋏、包丁、ナイフ等の用具を一切用いずに安全に容易に開封できる構造のものが提案されている。（例えば、非特許文献１、特許文献１）。【０００４】
例えば、非特許文献１には、図２３に示すように、アボット社製品の血糖値測定用センサ１０４の包装フィルム１００の平面図が開示されている。【０００５】
これは、血糖値測定用電極等のように細長い偏平な製品を包装するための四辺に周縁熱接着部１０１が形成された包装袋で、予め袋の長手方向に設けられたノッチ１０２から包装袋を破り開け、内容物を取り出すように構成されている。このような上記構成の包装袋を開封し包装袋中の商品を取り出して使用する場合には、ノッチ１０２を破り目の起点として破り始める。そして、周縁熱接着部１０１を破り、続いて包装部１０３を破ることにより包装袋は開口される。このような袋の端部にノッチ等を設け、手で開封できる密封袋は、多くの商品の包装形態としてよく利用されている。【０００６】
特許文献１には、図２４に示すように、血糖値測定用センサの包装用フィルム１０５によって形成される易開封包装袋１１１の平面図が開示されている。【０００７】
この易開封包装袋１１１では、基材層と熱可塑性樹脂層とからなる四角形状の二枚の包装用フィルム１０６を重ね合わせて、一辺側を所定領域だけ非熱接着部１０７として残し、他の３辺にコの字状の周縁熱接着部１０８が形成されている。さらに、周縁熱接着部１０８の両端部を連結する外方に突出する突出熱接着部１０９が形成されている。そして、少なくとも突出熱接着部１０９を剥離可能に密封し、表面側の包装用フィルムの少なくとも一方の端縁の周縁熱接着部の端部に隣接した位置に切り込み部１１０が形成されている。【０００８】
このような構成の包装袋を開封して、中に収納された血糖値測定用電極センサ１１２を取り出す際には、まず、非熱接着部１０７の包装用フィルムを指で掴んで両側に引っ張り、突出熱接着部１０９を先端部から剥離して開封線１１３まで剥離させる。そして、剥離させた包装用フィルム１０５，１０６をそれぞれ外側に折り曲げて血糖値測定用電極センサ１１２の端部１１４を包装袋から露出させる。これにより、この露出した端部１１４を掴んで血糖値測定用電極センサ１１２を取り出すことができる。【０００９】
その後、取り出された血糖値測定用電極センサ１１２の露出部である試料供給路（以下、キャビティと呼ぶ）に血液を含浸させて、血糖値の測定が行われる。
【先行技術文献】
【特許文献】
【００１０】
【非特許文献１】プレシジョンエキストラＧ３ｂ電極（アボット社製）
【特許文献１】特開平１１−２７８５０１
【発明の概要】
【００１１】
しかしながら、上記特許文献１および非特許文献１に記載の構成では、開封時に内容物を容易に安全に取り出すという面で以下のような問題があり、消費者にとっては満足できるような構成ではなかった。
【００１２】
例えば、非特許文献１に記載の構成では、図２３に示すノッチ１０２が設けられた包装袋を開封する際に、容易に引き裂けるメリットはあるものの、開封途中に破り目が内容物に引っ掛かって開封しづらくなることがある。さらに、より力を込めて勢いよく引き裂くと、内容物が折れ曲がる、傷が付く、内容物が飛び出し包装袋から落ちてしまう等といった課題があった。また、破り目が内容物に接触しないように、内容物を避けて開封すると、開封後に内容物の端部が包装袋から露出しない場合があり、内容物（血糖値測定用電極センサ等）を取り出し難いという不具合が生じる。
【００１３】
また、上記特許文献１に記載の構成では、図２４に示す非熱接着部１０７の包装用フィルム１０５を指で掴んで両側に引っ張る構成の包装袋を開封する場合、突出熱接着部１０９の全体を先端部から剥離するのに強い力が必要となる。さらに、開封する際に力を加えすぎると包装袋全体が剥離してしまい、血糖値測定用電極センサ１１２が包装袋から落下した衝撃で血糖値測定用電極センサ１１２が損傷したり汚染するなどして使えなくなったりするおそれがある。よって、血糖値測定用電極センサ１１２を使用する機会が多い老人等には、開封し難いという欠点があった。
【００１４】
本発明の目的は、予め設けられたノッチまたは破り開始点を示す図柄模様を起点として引き裂いて開封する包装材を採用することにより、開封時における開封力を低減させ、内容物に引っかからないように開封するなどの注意を払うことなく、容易に内容物の端部を露出させることのできる易開封包装袋を提供することである。また、内容物を傷つけたり落下させたりするのを確実に防止できるので、特に、取り扱いに注意すべき内容物を取り出す場合には、本易開封包装袋は、安全性の面でも優れている。
【００１５】
上記課題を解決するために、第１の発明に係る易開封包装袋は、略矩形状の内容物を内包する包装袋であって、包装用フィルムと、周縁接着部と、破り開始点と、内容物と、を備えている。包装用フィルムは、基材層と接着層とを有する。周縁接着部は、接着層面が互いに対向するように重ね合わせて包装用フィルムの周縁を互いに接着することで形成される。破り開始点は、周縁接着部に形成されている。内容物は、破り開始点からの破り進行方向に対して斜めに配置されている。
【００１６】
第２の発明に係る易開封包装袋は、第１の発明に係る易開封包装袋において、破り開始点は、その破り開始点を示すノッチである。
【００１７】
第３の発明に係る易開封包装袋は、第１の発明に係る易開封包装袋において、破り開始点は、その破り開始点を示す図柄模様である。上記図柄模様としては、例えば、絵、模様、紋様、図形、点、線、文字、数字、記号もしくはこれらを組み合わせた所望の図柄等である。
【００１８】
第４の発明に係る易開封包装袋は、第２または第３の発明に係る易開封包装袋において、内容物が、破り開始点による破り進行方向に対して、５°〜８５°の角度で配置されている。
【００１９】
第５の発明に係る易開封包装袋は、第１の発明に係る易開封包装袋において、破り開始点が形成されている周縁接着部の領域は、内容物方向に突出している。
【００２０】
第６の発明に係る易開封包装袋は、第２の発明に係る易開封包装袋において、ノッチは、単なる切込み形状、またはノッチからの破り進行方向に向けて先端が細くなっている形状を有している。
【００２１】
第７の発明に係る易開封包装袋は、第１の発明に係る易開封包装袋において、周縁接着部は、包装用フィルムの外縁部に形成されている。
【００２２】
第８の発明に係る易開封包装袋は、第１の発明に係る易開封包装袋において、周縁接着部の少なくとも一部は、包装用フィルムの外縁部より内側に形成され、破り開始点は包装用フィルムの外縁部に形成されている。
【００２３】
第９の発明に係る易開封包装袋は、第１の発明に係る易開封包装袋において、周縁接着部は、１枚の包装用フィルムを折り曲げることによって生じる１辺以外の周縁に形成される。
【００２４】
第１０の発明に係る易開封包装袋は、第１の発明に係る易開封包装袋において、包装用フィルムは、少なくとも２枚の包装用フィルムを重ね合わせて構成される。
【００２５】
第１１の発明に係る易開封包装袋は、第１の発明に係る易開封包装袋において、包装用フィルム上において、破り開始点からの開封時の破り進行方向を内容物に誘導する破断線が形成され、さらに、この破断線と内容物との接触角度は、５°〜８５°である。
【００２６】
第１２の発明に係る易開封包装袋は、第１の発明に係る易開封包装袋において、包装用フィルムにおける内容物の周辺領域が、ブリスター構造になっている。
【００２７】
第１３の発明に係る易開封包装袋は、第１の発明に係る易開封包装袋において、周縁接着部は、熱可塑性樹脂層を含む。
【００２８】
第１４の発明に係る易開封包装袋は、第１の発明に係る易開封包装袋において、包装用フィルムと周縁接着部の少なくとも一方は略四角形状である。
【００２９】
第１５の発明に係る易開封包装袋は、第１の発明に係る易開封包装袋において、包装用フィルムの一方の厚み幅は、重ね合わせた他方の包装用フィルムの厚み幅よりも薄い。
【００３０】
第１６の発明に係る易開封包装袋は、第１５の発明に係る易開封包装袋において、内容物の形状ラインに沿って屈曲して進行する破り目側の包装用フィルムの厚み寸法は、そのまま進行していく破り目側の包装用フィルムの厚み寸法より短い。
【００３１】
第１７の発明に係る易開封包装袋は、第１の発明に係る易開封包装袋において、包装用フィルム上において、破り開始点からの開封時の破り目が内容物に接触もしくはその近傍に到達すると、破り目は２つに分断され、第１の破り目はそのまま進行していくが、第２の破り目は内容物に沿って屈曲して進行する。
【００３２】
第１８の発明に係る易開封包装袋は、第１７の発明に係る易開封包装袋において、破り開始点の位置は、包装用フィルムの外縁部に形成され、内容物の長手方向の辺の上端と下端の間にある。
【００３３】
第１９の発明に係る易開封包装袋は、第１の発明に係る易開封包装袋において、内容物が、包装用フィルムの長手方向に対して、５°〜８５°の角度で配置される。
【００３４】
第２０の発明に係る易開封包装袋は、第１７の発明に係る易開封包装袋において、内容物が、試料成分を測定するバイオセンサである。
【００３５】
第２１の発明に係る易開封包装袋は、第２０の発明に係る易開封包装袋において、包装用フィルム上において、バイオセンサは、破り開始点からの開封側に、バイオセンサの試料点着部側が露出するように配置されている。
【００３６】
第２２の発明に係る易開封包装袋は、第２０の発明に係る易開封包装袋において、包装用フィルムに設けられており、バイオセンサを防湿するための乾燥剤を保持させる乾燥領域部を、さらに備えている。
【００３７】
第２３の発明に係る易開封包装袋の開封方法は、基材層と接着層とを有する包装用フィルムをその接着層面が互いに対向するように重ね合わせて、包装用フィルムの周縁を互い接着することで周縁接着部を形成し、周縁接着部に少なくとも１つ以上のノッチ、または破り開始点を示す図柄模様が形成された包装袋内の内容物を、ノッチまたは破り開始点を示す図柄模様を起点として包装袋を引き裂くことにより開封して取り出す易開封包装袋の開封方法である。そして、本開封方法は、ノッチまたは破り開始点を示す図柄模様を起点として破り目が内容物に対して斜めに進行する工程と、破り目が内容物に接触もしくはその近傍に到達すると破り目は２つに分断され、第１の破り目はそのまま進行していくが、第２の破り目は内容物に沿って屈曲して進行する工程と、内容物の端部を露出させる工程と、を備えている。
【００３８】
本発明によれば、開封時の破り目が内容物に接触もしくはその近傍に到達すると、破り目は２つに分断され、第１の破り目はそのまま破り進行方向と同じように進行していくが、第２の破り目は内容物に沿って屈曲して進行することにより、開封時に破り目が内容物に引っ掛かることのない開封が可能となる。この結果、内容物にダメージ（折れ曲がり、傷）を与えず、勢いよく開封しても内容物が包装袋から飛び出すのを防止できる。また、開封時にそれほど力を必要としないため、取り扱いに注意すべき内容物、例えば、血糖値測定用電極センサ等を使用する機会が多い老人等でも開封し易く、開封後は包装袋から内容物の端部が自然と露出するため、この内容物を容易に取り出し易くなる。
【図面の簡単な説明】
【００３９】
【図１】（ａ）本発明の易開封包装袋の開封前の状態を示した平面図、（ｂ）本発明の易開封包装袋の開封前の状態を示した側断面図、（ｃ）本発明の易開封包装袋の開封前の状態を示した平断面図
【図２】本発明の易開封包装袋の開封前の状態を示した平断面図
【図３】本発明の易開封包装袋の開封前の状態を示した平断面図
【図４】（ａ）〜（ｆ）本発明の易開封包装袋に設けられたノッチの形状を示した平面図
【図５】（ａ）本発明の易開封包装袋の開封状態を示した平面図、（ｂ）本発明の易開封包装袋の開封前の状態を示した側断面図、（ｃ）本発明の易開封包装袋の開封前の状態を示した平断面図
【図６】（ａ）本発明の易開封包装袋の開封前の状態を示した平面図、（ｂ）本発明の易開封包装袋の開封前の状態を示した側断面図、（ｃ）本発明の易開封包装袋の開封前の状態を示した平断面図
【図７】本発明の易開封包装袋の開封前の状態を示した平面図
【図８】（ａ）本発明の易開封包装袋の少なくとも一枚の包装用フィルムの内容物周辺領域をブリスター構造に変形させた構成における開封前の状態を示した断面図、（ｂ）本発明の易開封包装袋の少なくとも一枚の包装用フィルムの内容物周辺領域をブリスター構造に変形させた構成における開封前の状態を示した斜視図
【図９】（ａ）本発明の易開封包装袋の開封前の状態を示した平面図、（ｂ）本発明の易開封包装袋の開封前の状態を示した側断面図、（ｃ）本発明の易開封包装袋の開封前の状態を示した平断面図
【図１０】（ａ）〜（ｃ）本発明の易開封包装袋の開封前の状態を示した平面図。
【図１１】（ａ）本発明の易開封包装袋の開封前の状態を示した側断面図、（ｂ）本発明の易開封包装袋の開封後の状態を示した平面図
【図１２】本発明の易開封包装袋の開封前の状態を示した平断面図
【図１３】（ａ）〜（ｄ）本発明の易開封包装袋の開封前の状態を示した平断面図
【図１４】本発明の易開封包装袋の開封前の状態を示した平断面図
【図１５】（ａ）本発明の易開封包装袋の開封後の状態を示した平面図、（ｂ）図１５（ａ）から手前側の包装用フィルムを取り除いた状態を示した平面図
【図１６】（ａ）本発明の易開封包装袋の開封後の状態を示した平面図、（ｂ）図１６（ａ）から手前側の包装用フィルムを取り除いた状態を示した平面図
【図１７】本発明の易開封包装袋の開封時における手順を示すフローチャート
【図１８】（ａ）〜（ｄ）本発明の易開封包装袋の開封時における状態を示す平面図
【図１９】（ａ）は、本発明の易開封包装袋の内容物（血糖値測定センサ）の構成を示す分解斜視図、（ｂ）図１９（ａ）に示す血糖センサを使用して血糖値を測定する際の状態を示す斜視図
【図２０】本発明の易開封包装袋の開封前の状態を示した平断面図
【図２１】（ａ）〜（ｄ）本発明の易開封包装袋の図柄模様を示す部分拡大平面図
【図２２】本発明の易開封包装袋の切れ目及び図柄模様を示す部分拡大平面図
【図２３】従来の易開封包装袋の開封状態を示した平面図
【図２４】従来の易開封包装袋の開封状態を示した平面図
【発明を実施するための形態】
【００４０】
以下に、本発明の実施の形態による易開封包装袋について、図面に基づいて以下で説明する。
【００４１】
本実施形態では、易開封包装袋の内容物の一例として、分析対象物として血液を用いてグルコース濃度を測定する血糖値測定センサ（バイオセンサ）６を用いた場合について説明する。なお、図１〜図２２は、本発明の実施の形態の一態様に過ぎず、実施の形態はこれに限られるものではない。
【００４２】
（実施の形態１）
図１（ａ）、図１（ｂ）及び図１（ｃ）は、本発明の実施の形態１に係る易開封包装袋の開封前の状態を示した平面図、側断面図、および平断面図である。なお、図１（ａ）に示すＡ−Ａの位置の断面の拡大図が、図１（ｂ）に示されている。又、図１（ｃ）は、図１（ｂ）に示すＥ−Ｅ間の位置における易開封包装袋の断面を示す図である。
【００４３】
本実施形態の易開封包装袋は、基材層１と接着層２とからなる包装用フィルム３を、接着層同士を重ね合わせることにより形成されており、略矩形状の血糖値測定センサ（内容物、バイオセンサ）６を内包する包装袋である。そして、包装用フィルム３の周縁に沿って周縁接着部５が形成されている。さらに、周縁接着部５には、少なくとも１つのノッチ４、または破り開始点を示す図柄模様が形成されている。
【００４４】
包装用フィルム３面と周縁接着部５が、血糖値測定センサ６を覆っており、血糖値測定センサ６は外部の空気と遮断されて完全に密封されている。このため、塵や埃などによって汚染されることはないので、血糖値測定センサ６の保存性という点において優れている。
【００４５】
図２に示すように、血糖値測定センサ６は、ノッチ４、または破り開始点を示す図柄模様による破り進行方向９（点線参照）に対して斜めに配置されている。血糖値測定センサ６の方向の調整については、ノッチ４の切り込み角度や破り開始点の図柄模様を調整することによって、血糖値測定センサ６がノッチ４または破り開始点を示す図柄模様による破り進行方向９に対して斜めに配置されるようにすればよい。
【００４６】
なお、図柄模様は、破り開始点を示す図柄模様であれば何でもよく、絵、模様、紋様、図形、点、線、文字、数字、記号もしくはこれらを組み合わせた所望の図柄を適宜用いることができる。
【００４７】
次に、本実施の形態１の易開封包装袋を開封する方法について、図１、図２、図１７、及び図１８を用いて説明する。図１（ａ）および図１（ｂ）は、本易開封包装袋の開封前の状態を示した平面図および断面図である。図２は、ノッチ４、または破り開始点を示す図柄模様、血糖値測定センサ６および破り進行方向９とのそれぞれの位置関係を示した配置図である。図１７は、本実施の形態１の易開封包装袋の中に内包されている図１に示す血糖値測定センサ６を、破り進行方向９に向けて開封する場合における手順を示すフローチャートである。図１８（ａ）〜（ｄ）は、本実施の形態１の易開封包装袋の開封状態を説明するための平面図である。尚、図１８（ａ）〜（ｄ）は、図１に示す下面４０ｂ側から見た図である。
【００４８】
まず、本易開封包装袋を開封する際には、予め設けられているノッチ４、または破り開始点を示す図柄模様を挟んだ両側を指でつかみ、それぞれを別方向に引っ張ることにより、ノッチ４、または破り開始点を示す図柄模様を起点として破り始める（図１７のＳ１０１及び図１８（ａ））。
【００４９】
破り目は、ノッチ４の切り込み角度の向きや破り開始点を示す図柄模様の角度に従って進行していき（図１７のＳ１０２）、やがて破り目が血糖値測定センサ６（血糖値測定センサ）近辺に到達する（図１７のＳ１０３及び図１８（ｂ））。
【００５０】
このとき、破り目は、血糖値測定センサ６（血糖値測定センサ）に対して所定の角度７で斜めに接触することで、破り目が２つに分断され始める（Ｓ１０４、図１８（ｂ）、及び図１８（ｃ））。
【００５１】
これは、一方の包装用フィルムの破り目は障害物がないのでそのまま進行するが、他方の破り目は血糖値測定センサ６が障害となって前進することができなくなるために、血糖値測定センサ６の形状ラインに沿って屈曲して進行することになるからである（Ｓ１０５）。このとき、２つの破り目は、破り進行方向９と血糖値測定センサ６の形状ラインとの所定の角度７を保ちながら分断される。図１８（ｃ）において、４１が、そのまま進行する一方の破り目を示しており、９ｂが、その一方の破り目４１の進行方向を示している。又、４２が、屈曲して進行する他方の破り目を示しており、９ａが、その他方の破り目４２の進行方向を示している。尚、一方の破り目４１は図１における下面４０ｂ側の包装用フィルム３に形成され、他方の破り目４２は図１における上面４０ａ側の包装用フィルム３に形成される。詳しくは後述するが、厚みが薄い方がより破れやすく、血糖値測定センサ６に沿って破り目が屈曲して進行しやすくなるためである。
【００５２】
さらに、易開封包装袋を破り続けると、分断された２つの破り目の空間の位置に、内容物である血糖値測定センサ６の端部が次第に姿を表し始める。さらに、血糖値測定センサ６の端部６ａが完全に露出されるまで破り続ける（図１７のＳ１０６、Ｓ１０７及び図１８（ｄ））。
【００５３】
血糖値測定センサ６の端部が完全に露出されると、破り作業を完了させる（Ｓ１０８）。
【００５４】
その後、血糖値測定センサ６の端部を掴み、血糖値測定センサ６を包装フィルムから取り出す（Ｓ１０９）。
【００５５】
その後、血糖値測定センサ６は所定の目的のために使用される（Ｓ１１０）。
次に、図１７に示される開封手順を示すフローチャートに従って、実際に、血糖値測定センサ６が内包されている易開封包装袋について手動で開封する実験を行った。
【００５６】
なお、実験に用いた易開封包装袋の材質は、ＰＥＴ１／ＡＬ／ＰＥＴ２／ＰＥ の４層で構成されている。最内層であるＰＥ側を重ね合わせ、１００〜１５０℃で熱溶着させることで、包装袋を形成することが可能である。すなわち、最内層であるＰＥ層が、接着層２に対応する。そして、ＰＥ層の熱溶着により周縁接着部５が形成される。
【００５７】
表１は、易開封包装袋に内包される内容物（血糖値測定センサ６）の角度を調整することにより、予め設けられているノッチ４、または破り開始点を示す図柄模様による破り進行方向９と血糖値測定センサ６とが接触する角度７を変えていき、開封時の破り目が内容物（血糖値測定センサ６）に影響する度合いを表したものである。
【００５８】
具体的には、ノッチ４、または破り開始点を示す図柄模様による破り進行方向９と血糖値測定センサ６との接触する角度７を、０°〜９０°の範囲で、９０°、８５°、８０°、６５°、４５°、２５°、１０°、５°、０°に調整した易開封包装袋を、サンプルとしてそれぞれ５個ずつ、合計４５個用意し、順番に指先を使って開封した。
【００５９】
ここで、易開封包装袋に内包されている血糖値測定センサ６について説明する。
血糖値測定センサ６は、図１９（ａ）に示すように、絶縁性の基板１８、スペーサ２０およびカバー１９をこの順序で積層して接着剤で貼り付けたり、熱融着などによって一体化したりすることで製造されている。
【００６０】
一般的には、図１９（ｂ）に示すように、カード形状の測定器２８の試験片装着部３０に端子２１，２２側を挿入して血糖値測定センサ６が測定器２８に装着された状態で、血糖値測定センサ６の端部に、例えば、血液等の生体試料が点着される。点着された血液は、吸引口４３からスペーサ２０に形成されているキャビティ２７に毛細管現象によって吸い込まれ、測定極２３および対極２４上に塗布された上記反応試薬２５に達する。ここで、血液は、反応試薬と酵素反応するため、測定器２８から血糖値測定センサ６の端子２１，２２へ電圧を印加することにより、上記酵素反応における反応生成物が酸化され、そのとき発生する酸化電流が上記測定器２８側で測定される。これにより、測定された酸化電流値に基づいて、被測定成分の濃度が血糖値として換算される。
【００６１】
なお、上記反応試薬としては、被測定溶液内のグルコースを測定するときには、酵素としてグルコースオキシダーゼを含む反応試薬が用いられる。また、測定器２８の表面には、測定結果を表示する表示部２９が設けられている。測定器２８の試験片装着部３０には、血糖値測定センサ６が装着されたときに、血糖値測定センサ６の端子２１，２２と電気的にそれぞれ接続される正極および負極の電極が設けられている（図示せず）。また、２６は、空気を逃がすための孔である。
【００６２】
実験の手順及び結果を以下に説明する。
まず、破り進行方向９が血糖値測定センサ６に対して接触する角度７が９０°となる従来技術では、破り目は、血糖値測定センサ６に接触する付近に到達すると血糖値測定センサ６に必然的に接触する。このとき、血糖値測定センサ６が障害物となり、破り目がそこで止まり、破り続けることができなくなって開封が困難となった。このため、従来は、破り目が血糖値測定センサ６に接触しないように、意識的に易開封包装袋を多少持ちかえたりして、破り方向を９０°ずらすことにより開封していた。
【００６３】
しかしながら、この場合、開封途中において、破り目が血糖値測定センサ６に引っ掛かって開封しづらくなり、開封できたとしても、図１７のＳ１０４及び図１８（ｃ）に示すように、破り目が２つに分断されることはない。その結果、内容物である血糖値測定センサ６の端部が包装袋から露出しないことになり、血糖値測定センサ６を取り出し難くなってしまう。
【００６４】
さらに、開封時にさらにより力を込めて勢いよく引裂くと、破り目は、血糖値測定センサ６に接触して血糖値測定センサ６が折れ曲がるなどの損傷が発生したり、血糖値測定センサ６が包装袋から飛び出して落ちてしまう等の問題も発生したりする等、好ましい結果は得られなかった。５個のサンプルとも、同じような現象となり、表１では、このような好ましくない結果を“×”マークとして示した。
【００６５】
【表１】
2013018370.tif 000003
【００６６】
次に、破り進行方向９と血糖値測定センサ６との接触する角度７が８５°の場合には、破り目は、血糖値測定センサ６に接触する付近に到達すると必然的に血糖値測定センサ６に接触する。このとき、血糖値測定センサ６が障害物となり、破り目が一旦そこで止まってしまうが、さらに力を加えることで、破り目を二方向に分断し、破り続けることは可能である。
【００６７】
しかし、血糖値測定センサ６が折れ曲がるなどの損傷が発生したり、血糖値測定センサ６が包装袋から飛び出して落ちてしまうといった問題も発生する結果となった。５個のサンプルとも同じような現象となり、表１では、このような結果を“△”マークとして示した。
【００６８】
次に、破り進行方向９と血糖値測定センサ６との接触する角度７が８０°の場合には、破り目は、血糖値測定センサ６に接触する付近に到達すると必然的に血糖値測定センサ６に接触する。このとき、若干のストレスは感じるが、比較的スムーズに破り目が２方向に分断され始め、血糖値測定センサ６（血糖値測定センサ）の端部が完全に露出されるまで破り続けることが可能であった。
【００６９】
しかし、１個のサンプルにおいては、上述の８５°と同様に、破り目が血糖値測定センサ６に接触する付近に到達すると、血糖値測定センサ６が障害物となって破り続けづらくなった。また、破り目の２方向への分断のために、より強い力が必要となった。
【００７０】
このとき、血糖値測定センサ６が折れ曲がるなどの損傷が発生したり、血糖値測定センサ６が飛び出し包装袋から落ちてしまう現象は発生しなかったが、破り目の２方向への分断のために、より強い力が必要であった。よって、１個のサンプルについては、表１で、“△”マーク、その他の４個のサンプルについては、比較的スムーズな開封が可能であるため、“〇”として示した。
【００７１】
次に、破り進行方向９と血糖値測定センサ６との接触する角度７が６５°の場合には、破り目は、血糖値測定センサ６に接触する付近に到達すると血糖値測定センサ６に接触する。このとき、ストレスは全く感じず、非常にスムーズに破り目が二方向に分断され始め、血糖値測定センサ６の端部が完全に露出されるまで破り続けることが可能であった。
【００７２】
さらに、より力を込めて勢いよく引き裂いても、血糖値測定センサ６が折れ曲がるなどの損傷が発生したり、内容物が飛び出し包装袋から落ちてしまう現象も発生せず、従来の課題が完璧に解決される好ましい結果となった。よって、５個のサンプルとも、同様の結果となり、表１では、好ましい結果として、“◎”マークとして示した。
【００７３】
次に、破り進行方向９と血糖値測定センサ６との接触する角度７が４５°の場合には、上述の６５°と同様の結果となった。よって、表１では“◎”マークとして示した。
【００７４】
次に、破り進行方向９と血糖値測定センサ６との接触する角度７が２５°の場合には、上述の６５°、４５°と同様の結果となった。よって、表１では“◎”マークとして示した。
【００７５】
次に、破り進行方向９と血糖値測定センサ６との接触する角度７が１０°の場合には、破り目は、血糖値測定センサ６に接触する付近に到達すると、端部６ａ（図２参照）により近い箇所で血糖値測定センサ６に接触する。このとき、非常にスムーズに破り目が２方向に分断され始め、血糖値測定センサ６の端部が露出されるまで破り続けることが可能であった。
【００７６】
さらに、より力を込めて勢いよく引き裂いた場合でも、血糖値測定センサ６が折れ曲がるなどの損傷が発生したり、血糖値測定センサ６が包装袋から飛び出して落ちてしまう等の現象は発生しなかった。しかし、破り目が血糖値測定センサ６の端部により近い箇所で血糖値測定センサ６に接触するため、開封後に包装袋から露出する血糖値測定センサ６の端部の領域が減少してしまう傾向にある。３個のサンプルにおいては、端部露出領域が減少傾向にあるものの、取り出し難さは感じず、血糖センサの使用には問題ないレベルであった。よって、表１では、〇”として示し、２個のサンプルにおいては、血糖値測定センサ６の端部の露出領域が少なく、取り出し難いと感じたため、表１では“△”として示した。
【００７７】
次に、破り進行方向９と血糖値測定センサ６との接触する角度７が５°の場合には、上述の１０°よりもさらに、破り目が血糖値測定センサ６の端部により近い箇所で接触する。このため、開封後に包装袋から露出する血糖値測定センサ６の端部の領域の減少が著しい。また、破り目を２方向へ分断することが不十分なために、５個のサンプルいずれにおいても、血糖値測定センサ６の端部の露出が少なく、取り出し難いと感じた。このため、表１では“△”として示した。
【００７８】
次に、破り進行方向９と血糖値測定センサ６との接触する角度７が０°の場合には、破り目が血糖値測定センサ６付近に到達しても、破り目と血糖値測定センサ６とが接触しないまま、開封が終了した。このため、内容物である血糖値測定センサ６の端部が包装袋から全く露出しないことになり、血糖値測定センサ６を取り出し難くなった。
【００７９】
また、破り目と血糖値測定センサ６とがかろうじて接触する場合においては、血糖値測定センサ６の短手方向の辺と破り目が９０°の接触角度で接触する。このため、上述の９０°の配置の場合と同様に、血糖値測定センサ６が障害物となって、破り目がそこで止まり、破り続けることができなくなり開封が困難となった。
【００８０】
また、この場合には、破り目を２方向へ分断するために、血糖値測定センサを意識的に持ちかえたりして破り進行方向を微妙に調整することも必要となる。さらに、より力を込めて勢いよく引き裂いていくと、破り目が血糖値測定センサ６に接触して折れ曲がるなどの損傷が発生したり、血糖値測定センサ６が包装袋から飛び出して落ちてしまう等の問題も発生し、好ましい結果は得られなかった。よって、５個のサンプルとも、同じような現象となり、表１では、“×”マークとして示した。
【００８１】
以上の結果から、表１に示すように、ノッチ４、または破り開始点を示す図柄模様による破り進行方向９と血糖値測定センサ６とが接触する角度７については、５°〜８５°の角度で配置されていることが好ましい。開封性試験においては、より好ましくは、１０°〜８０°であり、さらに好ましくは、２５°〜６５°であることが確認された。
【００８２】
本実施形態では、上述の易開封包装袋を開封する図１７のステップＳ１０４以降の開封動作をストレスなく行うことを可能とするために、血糖値測定センサ６と破り目が斜めに接触するように、配置が工夫されている。
【００８３】
これにより、破り目が血糖値測定センサ６に接触したときに、２枚の包装用フィルムが容易にそれぞれ異なる２方向に分断され始めるようにすることができる。その結果、血糖値測定センサ６にダメージを与えることなく、血糖値測定センサ６の端部のみを易開封包装材から露出させることができる。
【００８４】
このように、本実施形態の易開封包装材によれば、ステップＳ１０４以降の破り作業をストレスなく完了できる。このため、図２３に示した従来技術（非特許文献１）で発生していた当初の課題であった、破り目が血糖値測定センサ６の近傍に到達する際、血糖値測定センサ６に対して垂直に接触していたために破り目が血糖値測定センサ６に引っ掛かり、破り続けることが困難となっていた問題や、さらに開封力を加えた場合に血糖値測定センサ６にダメージを与える、血糖値測定センサ６が落下する、といった不具合に関して、確実に解決できたことがわかる。
【００８５】
また、本実施形態によれば、予め設けられたノッチまたは破り開始点を示す図柄模様を起点として引き裂いて開封する包装材を採用することにより、特許文献１の構成のように開閉に強い力を必要としない。このため、血糖値測定センサ６を使用する機会が多い老人等にも開封しやすい。仮に、力を加えて勢い良く破り作業を行っても、血糖値測定センサ６の端部しか露出しないため、易開封包装袋から血糖値測定センサ６が落下することもない。したがって、内容物にダメージを与えない、落下しない、開封が容易という本実施の形態１による効果が得られた。
【００８６】
なお、易開封包装材の大きさについては、特に制限されないが、例えば、内容物が本実験で用いたような板状の血糖値測定センサ６の場合には、内容物の大きさは全長約２９．５ｍｍ、幅約６．６ｍｍ、厚み約０．４２８ｍｍである。よって、易開封包装袋の大きさは、内容物である血糖値測定センサ６が包含される寸法であり、全長約７０ｍｍ、幅約３０ｍｍ、厚み約０．２ｍｍのもので実験した。
【００８７】
（実施の形態２）
本発明の易開封包装袋に係る他の実施の形態について、図面を参照して以下で説明する。
【００８８】
なお、上記実施の形態１と同様の要素については同一の符号を使用し、本実施の形態２にも含まれるものとして扱う。また、易開封包装袋の開封方法については、基本的には実施の形態１と同様であるので、同じ部分については、ここでは割愛する。
【００８９】
図３は、上記実施の形態１で示した図１、図２を改良したもので、本実施形態の易開封包装袋の開封前の状態を示した平断面図である。尚、図３は、図１（ｂ）で示すＥＥ間と同じ位置における易開封包装袋の断面図である。
【００９０】
上記実施の形態１と異なる部分としては、ノッチ近傍の周縁接着部の形状である。本実施形態の易開封包装材では、ノッチが形成されている周縁接着部５の領域が血糖値測定センサ６方向に突出して形成された突出部４４が設けられている。
【００９１】
図１および図２のような構成では、易開封包装袋の開封時には、ノッチ４を起点として破り始め（Ｓ１０１）、破り目が内容物に対して斜めに進行し（Ｓ１０２）、破り目が血糖値測定センサ６に到達（Ｓ１０３）するステップで開封動作が進行する。しかしながら、まれに、指先に加える力の加減などにより、破り目が内容物６に対して斜めに進行する（Ｓ１０２）途中で、ノッチ４を起点にした破り目が内容物６に接触しない方向に屈曲する場合が考えられる。
【００９２】
この場合、図１７のＳ１０４及ぶ図１８（ｃ）のように破り目が２つに分断されることがないので、その結果、内容物である血糖値測定センサの端部６ａ（図２参照）が包装袋から露出しないことになる。よって、内容物（血糖値測定センサ６）を取り出し難くなる。
【００９３】
一方、本実施形態の易開封包装材では、図３に示すように、ノッチ４が形成されている周縁接着部５の領域を、血糖値測定センサ６方向に突出させることで、血糖値測定センサ６とノッチ４が形成されている周縁接着部８の領域との距離が短くなる。これにより、破り進行方向９の自由度が減少し、破り進行方向９を一定方向に制限することが可能となる。この結果、破り進行方向９と血糖値測定センサ６との接触頻度が増大し、破り目が２つに分断され（Ｓ１０４）、スムーズな開封へと繋がる。
【００９４】
表２は、易開封包装袋に内包される内容物とノッチ４が形成されている周縁接着部５の領域との距離を変えていき、開封時の破り目と血糖値測定センサ６との接触頻度に影響する度合いを表したものである。
【００９５】
【表２】
2013018370.tif 000004
【００９６】
具体的には、血糖値測定センサ６とノッチ４が形成されている周縁接着部５の領域との距離が、５ｍｍ〜１５ｍｍの範囲で、５ｍｍ、１０ｍｍ、１５ｍｍに調整した易開封包装袋を、サンプルとしてそれぞれ５個ずつ、合計１５個用意し、順番に指先を使って開封した。
【００９７】
血糖値測定センサ６とノッチ４が形成されている周縁接着部５の領域との距離が、５ｍｍの場合、５個のサンプルとも、破り目と血糖値測定センサ６とは接触し、破り目は二方向へスムーズに分断された。よって、表２では、好ましい結果として“〇”マークとして示した。
【００９８】
血糖値測定センサ６とノッチ４が形成されている周縁接着部５の領域との距離が、１０ｍｍの場合、５個のサンプルとも、破り目と血糖値測定センサ６とは接触し、破り目は二方向へスムーズに分断することができた。よって、表２では、好ましい結果として“〇”マークとして示した。
【００９９】
血糖値測定センサ６とノッチ４が形成されている周縁接着部５の領域との距離が、１５ｍｍの場合、１個のサンプルにおいて、破り目が屈曲し、血糖値測定センサ６に接触せず、破り目は二方向に分断することができなかった。よって、表２では、好ましくない結果として“×”マークとして示した。それ以外の４個のサンプルにおいては、破り目と血糖値測定センサ６とは接触し、破り目は比較的スムーズに２方向へ分断することができた。よって、“〇”マークとして示した。
【０１００】
表２に示すように、血糖値測定センサ６とノッチ４が形成されている周縁接着部５の領域との距離が短い程、破り進行方向９は一定方向に制限され、破り目と内容物（血糖値測定センサ６）との接触頻度は増す。よって、ノッチ４が形成されている周縁接着部５の領域は可能な限り血糖値測定センサ６方向に突出している形状が好ましい。
【０１０１】
図４（ａ）〜（ｆ）は、本実施形態の易開封包装袋に設けられたノッチ４の形状を示した平面図である。図４（ａ）〜（ｆ）は、少なくとも一方の面が熱溶着性樹脂層を有する合成樹脂フィルム２枚の熱溶着性樹脂層を対向させ、その周縁を熱溶着した包装袋の端部に設けられているノッチの形状を示したものである。その形状は、単なる切込み形状、またはノッチからの破り進行方向に向けて、先端が細くなっている形状でもよく、Ｖ字状、Ｕ字状、ホームベース形状、Ｉ字状、など開封しやすいように適宜、工夫することができる。
【０１０２】
例えば、図４（ａ）、（ｂ）に示すノッチ５０、５１はＶ字形状であり、図４（ｃ）に示すノッチ５２は稲妻形状であり、図４（ｄ）に示すノッチ５３はホームベース形状である。又、図４（ｅ）に示すノッチ５４は平行四辺形の形状であり、図４（ｆ）に示すノッチ５５はハート形状である。
【０１０３】
また、先端の方が逆に太くなっている形状の場合でも、開封しやすいような構造になっていれば問題ない。また、ノッチの寸法は、破り目の横断方向に対して、長さ２ｍｍ以上の切傷となっており、密封袋用のフィルムは強靭である反面、一旦傷が生じるとその傷が伝播しやすい傾向にあるため、予め袋の端縁部に１箇所以上傷を与え、これを破り口として引張ると手指の力だけで開封することができる。なお、図４では、下向きのノッチ４の先端部が破り目の開始位置となる。この破り目の開始位置が、図４（ａ）〜（ｆ）のノッチ５０、５１、５２、５３、５４、５５おいて、それぞれ５０ａ、５１ａ、５２ａ、５３ａ、５４ａ、５５ａで示されている。
【０１０４】
図５（ａ）、（ｂ）、（ｃ）は、少なくとも２枚の包装用フィルム３を重ね合わせ周縁接着部５を形成することによって作製される易開封包装袋におけるノッチ４および周縁接着部５の配置を示したもので、開封前の状態を示した平面図、側断面図、および平断面図である。図５（ａ）に示すB−B線の位置の断面の拡大部分を図５（ｂ）に示す。又、図５（ｃ）は、図５（ｂ）に示すＦ−Ｆ線の位置における易開封包装袋の断面を示す図である。
【０１０５】
ここでは、周縁接着部５が、基材層１と接着層２とからなる包装用フィルム３の最外縁部３１より内側に形成されている。そして、ノッチ４が、基材層１と接着層２とからなる包装用フィルム３の最外縁部３１に形成されている。
【０１０６】
このように、周縁接着部５上にノッチ４を形成しないことで、充分な周縁接着部５の面積の確保が可能となるため、ノッチ４による周縁接着部５の面積が制限されることがない。よって、より密封性が保たれ防湿性に優れた易開封包装材を得ることができるという効果が得られる。
【０１０７】
また、密封袋用のフィルムは強靭である反面、一旦傷が生じるとその傷が伝播しやすくなる傾向にある。このため、周縁接着部５の外縁に所定の領域分の非接着部３２を設けることにより、これが防護用として働き、周縁接着部５に直接傷が生じるのを防止できる効果もある。
【０１０８】
さらに、基材層１と接着層２とからなる包装用フィルム３の最外縁部３１の接着されていない部分である非接着部３２が掴みしろとして活用できるため、開封時のハンドリング性に優れ、開封作業をより容易化することができる。
【０１０９】
図６（ａ）、図６（ｂ）及び図６（ｃ）は、本実施形態の易開封包装袋の形態の一例を示したものである。
【０１１０】
ここでは、少なくとも１枚の包装用フィルム３を折り曲げることによって生じる１辺以外の周縁に周縁接着部５が形成された包装袋を示した平面図、側断面図、及び平断面図を示している。
【０１１１】
なお、図６（ａ）に示すＣ−Ｃ線の位置の断面の拡大部分が図６（ｂ）に示されている。又、図６（ｃ）は、図６（ｂ）に示すＧ−Ｇ間の位置における易開封包装袋の断面を示す図である。
【０１１２】
このような構成により、折り曲げ部の１辺については、ノッチ４が形成されていないので、ノッチ４に傷が生じてその傷が伝播することもない。さらには、接着剤を塗布する必要がなくなるので、生産時の工程のロスも少なくて済むなどの効果がある。
【０１１３】
図７は、本実施形態の易開封包装袋における包装用フィルム３の接着層２と逆側の面上に、予め破断線１０が設けられていることを示したもので、開封前の状態を示した平面図である。
【０１１４】
ここでは、以下の部分が、図２と異なる点である。
すなわち、破断線１０は、ノッチ４の先端部、または破り開始点を示す図柄模様からの開封時の破り進行方向９を血糖値測定センサ６に誘導するものである。破断線１０と血糖値測定センサ６との接触角度１１は、５°以上〜８５°以下であることが好ましい。
【０１１５】
これにより、破り進行方向をスムーズな開封に有利な方向に確実に誘導することが可能となる。破断線１０と血糖値測定センサ６とのより好ましい接触角度１１は、１０°〜８０°である。さらに好ましくは、２５°〜６５°である。このように、破断線１０を、予め包装用フィルム３の表面上に設けることにより、接触角度１１を調整することができるという効果がある。なお、破断線１０は、包装用フィルム３の両方の表面に設けられている方が好ましい。
【０１１６】
図８（a）および図８（b）は、本実施形態の易開封包装袋の少なくとも一枚の包装用フィルム３の血糖値測定センサ６周辺領域を、ブリスター構造１２に変形させることを示したもので、開封前の状態を示した側断面図および斜視図である。
【０１１７】
ここで、ブリスター構造１２とは、包装用フィルム３の接着層２の面を凹形状に、基材層１の面を凸状に変形した形状を指す。ブリスター工法によれば、包装用フィルム３を任意の形状に変更可能であるため、少なくとも一枚の包装用フィルム３を、血糖値測定センサ６を内包できる形状へ変形し、この変形されたブリスター構造１２の位置に、血糖値測定センサ６が内包される。
【０１１８】
これにより、血糖値測定センサ６が固定されるので、破り目が血糖値測定センサ６に接触する角度１１のばらつきを抑制できる効果がある。
【０１１９】
また、血糖値測定センサ６がブリスター構造１２内で固定されるので、安定的に保持できる。さらに、ブリスター構造１２によって、破り進行方向９と血糖値測定センサ６との角度７（図２参照）を上述の開封に有利な角度に調整することが可能である。
【０１２０】
なお、図８では、ブリスター構造１２は、包装用フィルム３の片側にしか設けられていないが、必要に応じて両方の表面に設けることもできる。
【０１２１】
図９（ａ）、図９（ｂ）、及び図９（ｃ）は、本実施形態の易開封包装袋における少なくとも一枚の包装用フィルム３の周縁接着部が熱可塑性樹脂層１３であることを示したもので、開封前の状態を示した平面図、側断面図、及び平断面図である。
【０１２２】
なお、図９（ａ）に示すＤ−Ｄ線の位置の断面の拡大部分が図９（ｂ）に示されている。又、図９（ｃ）は、図９（ｂ）に示すＨ−Ｈ間の位置における易開封包装袋の断面を示す図である。
【０１２３】
本実施形態の易開封包装材の形状は、図２と同じであるが、周縁接着部の接着形態が異なる。具体的には、図９では、接着材を必要とせず、単に短時間熱融着するだけで外部の空気と遮断されて完全に密封されるので、内容物の保全性という点において優れているだけでなく、生産性においても優れており、生産ラインにおける高タクト化が可能である。また、接着剤を用いないため、接着剤から発せられるガスで内容物がダメージを受けることもない。
【０１２４】
図１０（ａ）、図１０（ｂ）、及び図１０（ｃ）は、本実施形態の易開封包装袋における少なくとも一枚の包装用フィルム３と周縁接着部５の少なくともいずれかが略四角形状であることを示したもので、開封前の状態を示した平断面図である。図１０（ａ）には、図１に示す易開封包装袋の包装用フィルム３及び周縁接着部５の双方が略四角形状に形成された易開封包装袋が示されている。図１０（ｂ）には、図５に示す易開封包装袋の包装用フィルム３が略四角形状に形成され、周縁接着部５は略四角形状に形成されていない易開封包装袋が示されている。図１０（ｃ）には、図５に示す易開封包装袋の包装用フィルム３が略四角形状に形成され、周縁接着部５も略四角形状に形成されている易開封包装袋が示されている。図１０（ｂ）に示す易開封包装袋では、図５と同様にノッチ４は周縁接着部５に達していないが、図１０（ｃ）に示す易開封包装袋では、ノッチ４は周縁接着部５に達している。これら図１０（ｂ）及び図１０（ｃ）に示す易開封包装袋では、ノッチ４に外部からの力が加わって容易に破り目が進行しないように、包装用フィルム３の周縁接着部５よりも外側の部分によって外部からの力を緩衝することが出来、破り目の進行を抑制することが出来る。尚、図１０（ｃ）では、ノッチ４が周縁接着部５に達していることを見やすくするために、包装用フィルム３の周縁接着部５より外側の部分の色を濃く変更している。
【０１２５】
ここでは、外周部が略四角形状にすることにより、易開封包装袋を重ねて保管された状態から取り出す場合などに、取り出しやすいという効果がある。
【０１２６】
図１１（ａ）は、本実施形態の易開封包装袋において、２枚の包装用フィルム３のうち一方の厚みがもう一方の厚みより薄いことを示したもので、開封前の状態を示した側断面図である。図１１（ｂ）は、本実施の形態の易開封包装袋を開封した状態を示す平面図である。尚、図１１（ｂ）は、図１１のフィルム３ｂ側から見た図である。
【０１２７】
ここでは、内容物に沿って屈曲して進行する破り目側の包装用フィルム３ａが、そのまま進行していく破り目側の包装用フィルム３ｂより薄く形成されている。内容物（血糖値測定センサ６）の試料点着部１５は、包装用フィルム３ｂに対向する側にあるので、開封時には、試料点着部１５が露出される。
【０１２８】
破り目が血糖値測定センサ６近辺に到達する際（Ｓ１０３）、包装用フィルム３の一方の厚みが薄いと、薄い側の包装用フィルム３がより破れやすくなるため、破り目が２つの方向へ分断され易くなる。
【０１２９】
より好ましい形状としては、血糖値測定センサ６の形状ラインに沿って屈曲して進行（破り進行方向９ａ側）することになる破り目側の包装用フィルムの厚みを、もう一方のそのまま進行（破り進行方向９ｂ側）していく破り目側の包装用フィルムの厚みより薄くする形状である。これにより、破り目（図１２では破り進行方向９ａ側）が血糖値測定センサ６に沿って進行しやすくなるので、更なる易開封性の実現と内容物へ与えるダメージの低減が可能となる。
【０１３０】
図１２は、本実施形態の易開封包装袋の開封前の状態を示した平断面図である。
ここでは、包装用フィルム３上において、ノッチ４の先端部、または破り開始点を示す図柄模様からの開封時の破り目が血糖値測定センサ６に接触もしくはその近傍に到達すると、破り目は２つに分断される。このとき、一方の破り目は、破り進行方向９ｂに沿ってそのまま進行していくが、他方の破り目は、破り進行方向９ａに沿って血糖値測定センサ６に沿って屈曲して進行する（Ｓ１０５）。
【０１３１】
図１３（ａ）〜（ｄ）は、本実施形態の易開封包装袋におけるノッチ４、または破り開始点を示す図柄模様の位置を示したもので、開封前の状態を示した平断面図である。なお、図１３に示すノッチ４等は、図７と図１２と同じ構成である。
【０１３２】
ここでは、ノッチ４は、包装用フィルムの外縁部に形成され、血糖値測定センサ６の長手方向の辺の上端と下端の間にあることが好ましい。本形状により、破り進行方向９と血糖値測定センサ６との接触頻度が増大し、破り目が２つに分断されるスムーズな開封へと繋がる。図１３（ａ）には、図１０（ａ）と同様の易開封包装袋が記載されており、血糖値測定センサ６の長手方向の辺の上端と下端の間がＬ１として記載されている。図１３（ｂ）には、図１０（ｂ）と同様の易開封包装袋が記載されており、血糖値測定センサ６の長手方向の辺の上端と下端の間がＬ２として記載されている。図１３（ｃ）には、図６（ｃ）と同様の易開封包装袋が記載されており、血糖値測定センサ６の長手方向の辺の上端と下端の間がＬ３として記載されている。図１３（ｄ）には、図１０（ｃ）と同様の易開封包装袋が記載されており、血糖値測定センサ６の長手方向の辺の上端と下端の間がＬ４として記載されている。このように包装用フィルム３の外縁部であって、血糖値測定センサ６の長手方向の一端及び他端を包装用フィルム３の外縁に投影した２つの位置（図１３（ａ）のＰ、Ｑ参照）の間にノッチ又は破り開始点を示す図柄模様の位置を設けることにより、破り進行方向９と血糖値測定センサ６との接触頻度が増大するため、好ましい。
【０１３３】
より好ましいノッチ４、または破り開始点を示す図柄模様の位置は、血糖値測定センサ６の長手方向の辺の上端と下端の中央である。もし、ノッチ４または破り開始点を示す図柄模様が、包装用フィルムの外縁部に形成され、血糖値測定センサ６の長手方向の辺の上端と下端との領域外に設ける場合には、ノッチまたは破り開始点を示す図柄模様の向きを制御して、血糖値測定センサ６が配置されている方向に向くような構成にする必要がある。この様な構成の易開封包装袋の平断面図を図２０に示す。図２０では、ノッチ４はＬ１以外の部分に形成されている。又、破り進行方向９が示されている。このような場合でも、破り進行方向９が血糖値測定センサ６の配置されている方向に向き、且つ血糖値測定センサ６に対して斜めに形成されるため、破り目は２つに分断される。図２０では、包装用フィルム３の周囲が略四角形状であるが、図１に示すような周囲が楕円状の易開封包装袋においても同様である。要するに、破り進行方向に対して血糖値測定センサが斜めに配置されるような位置関係であればよい。
【０１３４】
図１４は、本実施形態の易開封包装袋における血糖値測定センサ６と包装用フィルム３の長手方向とのそれぞれの位置関係を示しており、開封前の状態を示した平断面図である。
【０１３５】
血糖値測定センサ６の長手方向と包装用フィルム３の長手方向との間の角度１４は、包装用フィルム３の長手方向に対して、５°〜８５°以下の角度で配置されることが好ましい。本形状により、開封時の破り目が血糖値測定センサ６に接触もしくはその近傍に到達した際、破り目の２方向への分断が容易に誘発され、スムーズな開封が可能となる。
【０１３６】
より好ましい角度は、１０°〜８０°であり、さらに好ましくは、２５°〜６５°である。このように、接触角は、ノッチ４または破り開始点を示す図柄模様だけでなく、内容物の配置位置によっても適宜調整できる。
【０１３７】
図１５（ａ）は、本実施形態の易開封包装袋において、ノッチ４の先端部、または破り開始点を示す図柄模様からの開封時に、バイオセンサの試料点着部１５側が露出することを示しており、開封後の状態を示した平面図である。図１５（ｂ）は、図１５（ａ）の内部構成を示すための平面図であり、説明のため図１５（ｂ）では血糖値測定センサ６の手前側の包装用フィルム３が省略されている。
【０１３８】
上述の開封ステップの破り作業終了後、内容物としての血糖値測定センサ６は、易開封包装袋から試料点着部側を露出するのみに留まり、易開封包装袋から落下することがない。このため、落下の衝撃でバイオセンサが損傷したり汚染するなどして使えなくなるということを避けられる。
【０１３９】
また、血糖値測定センサ６は、一般的に、試料点着部１５と反対側の端を測定用メーター（測定器２８）に挿し込み使用する手順となるが、試料点着部側１５を掴みバイオセンサを包装袋から取り出した後、持ち替えることなく、そのまま測定用メーターに差し込むことができる。このため、血糖値測定センサ６を使用する機会が多い、手先に不自由な老人等にも使い易いというメリットがある。
【０１４０】
以上のように、ノッチ４の先端部、または破り開始点を示す図柄模様からの破り目が血糖値測定センサ６に接触もしくはその近傍に到達すると、明らかに破り目は２つに分断され、一方の破り目はそのまま進行していくが、他方の破り目は血糖値測定センサ６に沿って屈曲して進行することがわかる。
【０１４１】
図１６（ａ）及び図１６（ｂ）には、図１５の易開封包装袋を少し改良した易開封包装袋が記載されている。図１６（ａ）は、易開封包装袋の開封後の状態を示した平面図である。図１６（ｂ）は、図１６（ａ）の内部構成を示すための平面図であり、説明のため図１６（ｂ）では血糖値測定センサ６の手前側の包装用フィルム３が省略されている。
【０１４２】
この図１６（ａ）及び図１６（ｂ）に示す易開封包装袋では、本実施形態の易開封包装袋において、バイオセンサを保持する領域の湿度を一定の湿度に維持し、バイオセンサの性能を保障期間内維持させることを目的として、乾燥剤１６を保持させる乾燥材保持領域部１７が設けられている。
【０１４３】
一般的に、血糖値測定センサ６は、湿気に弱い試薬部を備えている。このため、易開封包装袋内を試薬部に影響のない湿度に保つ必要がある。
【０１４４】
本実施形態では、乾燥材保持領域部１７は、バイオセンサ保持部６０の湿度を制御するため、バイオセンサ保持部６０と接続部６１を介して繋がっている。
【０１４５】
このように、乾燥剤１６を保持させる乾燥材保持領域部１７を、開封時に露出される試料点着部１５に対して反対側のスペースに設けることにより、易開封包装袋内に発生する湿気を抑制することができる。さらに、易開封包装袋の開封時において、乾燥材保持領域部１７内に設けられた乾燥剤１６が露出したり、放出されたりすることも防止できる。
【０１４６】
なお、乾燥剤保持領域部１７は、図１０に示すように、ブリスター構造１２となっていても構わない。
【０１４７】
なお、本実施の形態２の各種の易開封包装袋においても、上記実施の形態１で説明した表１と同じような実験データが得られた。
【０１４８】
また、本発明の実施の形態１，２における易開封包装袋については、主に指先を使うことによる開封する手動開封方法を中心に説明してきたが、別段、自動機などによって開封する自動開封方法においても利用可能であることはいうまでもない。
【０１４９】
また、上記実施の形態では、ノッチが破り開始点を示していたが、図２１（ａ）〜（ｄ）に示すような図柄模様によって破り開始点がより明確に示されていてもよい。図２１（ａ）には、ノッチ４の周縁に線を交差させた図柄模様７１が形成されている。図２１（ｂ）には、ノッチ４の周縁に四角形を複数配置した図柄模様７２が形成されている。図２１（ｃ）には、ノッチ４の周縁に色を付加し図柄模様７３が形成されている。又、図２１（ｄ）には、ノッチ４の周縁にノッチ４側を向いた複数の矢印が描かれた図柄模様７４が形成されている。
【０１５０】
又、上記実施の形態のノッチ４は、切り欠かれて形成されていたが、切れ目であってもよい。但し、切れ目の場合、視認し難い場合があるため、図２２に示すように、図２１（ａ）〜（ｄ）のような図柄模様を設けて破り開始点を示した方がより好ましい。図２２には、切れ目５６とその周縁に設けられた図柄模様７４が示されている。
【０１５１】
尚、図柄模様は、これらに限らなくてもよく、要するに破り開始点を示すことが出来さえすればよい。
【産業上の利用可能性】
【０１５２】
本発明に係る易開封包装袋は、開封時の破り目が内容物に接触もしくはその近傍に到達すると、破り目は２つに分断され、開封時に破り目が内容物に引っ掛かることのない開封が可能で、内容物にダメージ（折れ曲がり、傷）を与えず、勢いよく開封しても内容物が包装袋から飛び出すのを防止でき、さらには開封時にそれほど力を必要としないなどの効果を有するので、例えば、取り扱いに注意すべき内容物（血糖値測定用電極センサ等）の包装袋として特に有用である。
【符号の説明】
【０１５３】
１      基材層
２      接着層
３，３ａ，３ｂ  包装用フィルム
４      ノッチ
５      周縁接着部
６      血糖値測定センサ（内容物、バイオセンサ）
７      破り進行方向と内容物とが接触する角度
８      周縁接着部（突出部）
９，９ａ，９ｂ  破り進行方向
１０      破断線
１１      破断線と内容物との角度
１２      ブリスター構造
１３      熱可塑性樹脂層
１４      内容物と包装用フィルム長手方向との角度（接触角）
１５      バイオセンサの試料点着部
１６      乾燥剤
１７      乾燥材保持領域部
１８      基板
１９      カバー
２０      スペーサ
２１，２２  端子
２３      測定極
２４      対極
２５      反応試薬
２６      孔
２７      キャビティ
２８      測定器
２９      表示部
３０      試験片装着部
３１      最外縁部
３２      非接着部
４０ａ  上面
４０ｂ  下面
４４  突出部
５０、５１、５２、５３、５４、５５  ノッチ
５６  切れ目
６０  バイオセンサ保持部
６１  接続部
７１、７２、７３、７４  図柄模様
１０１，１０８  周縁熱接着部
１０２    ノッチ
１０３    包装部
１０４    血糖値測定用センサ
１０５，１０６  包装用フィルム
１０７    非熱接着部
１０９    突出熱接着部
１１０    切り込み部
１１１    易開封包装袋
１１２  血糖値測定用電極センサ
１１３    開封線
１１４    端部
【図１】
2013018370.tif 000005
【図２】
2013018370.tif 000006
【図３】
2013018370.tif 000007
【図４】
2013018370.tif 000008
【図５】
2013018370.tif 000009
【図６】
2013018370.tif 000010
【図７】
2013018370.tif 000011
【図８】
2013018370.tif 000012
【図９】
2013018370.tif 000013
【図１０】
2013018370.tif 000014
【図１１】
2013018370.tif 000015
【図１２】
2013018370.tif 000016
【図１３】
2013018370.tif 000017
【図１４】
2013018370.tif 000018
【図１５】
2013018370.tif 000019
【図１６】
2013018370.tif 000020
【図１７】
2013018370.tif 000021
【図１８】
2013018370.tif 000022
【図１９】
2013018370.tif 000023
【図２０】
2013018370.tif 000024
【図２１】
2013018370.tif 000025
【図２２】
2013018370.tif 000026
【図２３】
2013018370.tif 000027
【図２４】
2013018370.tif 000028
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
略矩形状の内容物を内包する包装袋であって、
基材層と接着層とを有する包装用フィルムと、
前記接着層面が互いに対向するように重ね合わせて前記包装用フィルムの周縁を互いに接着することで形成される周縁接着部と、
前記周縁接着部に形成された破り開始点と、
前記破り開始点からの破り進行方向に対して斜めに配置された内容物と、
を備え、
前記包装用フィルム上において、前記破り開始点からの開封時の破り目が前記内容物に接触もしくはその近傍に到達すると、前記破り目は２つに分断され、
第１の破り目はそのまま進行していくが、第２の破り目は前記内容物に沿って屈曲して進行する易開封包装袋。
【請求項２】
前記破り開始点の位置は、前記包装用フィルムの外縁部に形成され、前記内容物の長手方向の辺の上端と下端の間にある、
請求項１記載の易開封包装袋。
【請求項３】
前記内容物は、試料成分を測定するバイオセンサである、
請求項１記載の易開封包装袋。
【請求項４】
前記包装用フィルム上において、前記バイオセンサは、前記破り開始点からの開封側に、前記バイオセンサの試料点着部側が露出するように配置されている、
請求項３記載の易開封包装袋。
【請求項５】
前記包装用フィルムに設けられており、前記バイオセンサを防湿するための乾燥剤を保持させる乾燥領域部を、さらに備えている、
請求項３記載の易開封包装袋。
【請求項６】
前記破り開始点は、その破り開始点を示すノッチである、
請求項１記載の易開封包装袋。
【請求項７】
前記破り開始点は、その破り開始点を示す図柄模様である、
請求項１記載の易開封包装袋。
【請求項８】
前記内容物は、前記破り開始点による破り進行方向に対して、５°〜８５°の角度で配置されている、
請求項１記載の易開封包装袋。
【請求項９】
前記破り開始点が形成されている前記周縁接着部の領域は、前記内容物方向に突出している、
請求項１記載の易開封包装袋。
【請求項１０】
前記ノッチは、単なる切込み形状、またはノッチからの破り進行方向に向けて先端が細くなっている形状を有している、
請求項６記載の易開封包装袋。
【請求項１１】
前記周縁接着部は、前記包装用フィルムの外縁部に形成されている、
請求項１に記載の易開封包装袋。
【請求項１２】
前記周縁接着部の少なくとも一部は、前記包装用フィルムの外縁部より内側に形成され、
前記破り開始点は前記包装用フィルムの外縁部に形成されている、
請求項１に記載の易開封包装袋。
【請求項１３】
前記周縁接着部は、１枚の前記包装用フィルムを折り曲げることによって生じる１辺以外の周縁に形成される、
請求項１に記載の易開封包装袋。
【請求項１４】
前記包装用フィルムは、少なくとも２枚の包装用フィルムを重ね合わせて構成される、
請求項１に記載の易開封包装袋。
【請求項１５】
前記包装用フィルム上において、前記破り開始点からの開封時の破り進行方向を前記内容物に誘導する破断線が形成され、
この破断線と前記内容物との接触角度は、５°〜８５°である、
請求項１に記載の易開封包装袋。
【請求項１６】
前記包装用フィルムにおける前記内容物の周辺領域が、ブリスター構造になっている、
請求項１に記載の易開封包装袋。
【請求項１７】
前記周縁接着部は、熱可塑性樹脂層を含む、
請求項１に記載の易開封包装袋。
【請求項１８】
前記包装用フィルムと前記周縁接着部の少なくとも一方は、略四角形状である、
請求項１に記載の易開封包装袋。
【請求項１９】
前記包装用フィルムの一方の厚み幅は、前記重ね合わせた他方の包装用フィルムの厚み幅よりも薄い、
請求項１に記載の易開封包装袋。
【請求項２０】
前記内容物の形状ラインに沿って屈曲して進行する破り目側の包装用フィルムの厚み寸法は、そのまま進行していく破り目側の包装用フィルムの厚み寸法より短い、
請求項１９に記載の易開封包装袋。
【請求項２１】
前記内容物が、前記包装用フィルムの長手方向に対して、５°〜８５°の角度で配置される、
請求項１記載の易開封包装袋。
【請求項２２】
基材層と接着層とを有する包装用フィルムを、その前記接着層面が互いに対向するように重ね合わせて、前記包装用フィルムの周縁を互いに接着することで周縁接着部を形成し、前記周縁接着部に少なくとも１つ以上のノッチまたは破り開始点を示す図柄模様が形成された包装袋内の内容物を、前記ノッチまたは破り開始点を示す図柄模様を起点として前記包装袋を引き裂くことにより開封して取り出す易開封包装袋の開封方法であって、
前記ノッチまたは破り開始点を示す図柄模様を起点として破り目が前記内容物に対して斜めに進行する工程と、
前記破り目が前記内容物に接触もしくはその近傍に到達すると、破り目は２つに分断され、第１の破り目はそのまま進行していくが、第２の破り目は前記内容物に沿って屈曲して進行する工程と、
前記内容物の端部を露出させる工程と、
を備えている易開封包装袋の開封方法。
【手続補正２】
【補正対象書類名】明細書
【補正対象項目名】００１５
【補正方法】変更
【補正の内容】
【００１５】
上記課題を解決するために、第１の発明に係る易開封包装袋は、略矩形状の内容物を内包する包装袋であって、包装用フィルムと、周縁接着部と、破り開始点と、内容物と、を備えている。包装用フィルムは、基材層と接着層とを有する。周縁接着部は、接着層面が互いに対向するように重ね合わせて包装用フィルムの周縁を互いに接着することで形成される。破り開始点は、周縁接着部に形成されている。内容物は、破り開始点からの破り進行方向に対して斜めに配置されている。包装用フィルム上において、破り開始点からの開封時の破り目が内容物に接触もしくはその近傍に到達すると、破り目は２つに分断され、第１の破り目はそのまま進行していくが、第２の破り目は内容物に沿って屈曲して進行する。
【手続補正３】
【補正対象書類名】明細書
【補正対象項目名】００１６
【補正方法】変更
【補正の内容】
【００１６】
第２の発明に係る易開封包装袋は、第１の発明に係る易開封包装袋において、破り開始点の位置は、包装用フィルムの外縁部に形成され、内容物の長手方向の辺の上端と下端の間にある。
第３の発明に係る易開封包装袋は、第１の発明に係る易開封包装袋において、内容物が、試料成分を測定するバイオセンサである。
第４の発明に係る易開封包装袋は、第３の発明に係る易開封包装袋において、包装用フィルム上において、バイオセンサは、破り開始点からの開封側に、バイオセンサの試料点着部側が露出するように配置されている。
第５の発明に係る易開封包装袋は、第３の発明に係る易開封包装袋において、包装用フィルムに設けられており、バイオセンサを防湿するための乾燥剤を保持させる乾燥領域部を、さらに備えている。
第６の発明に係る易開封包装袋は、第１の発明に係る易開封包装袋において、破り開始点は、その破り開始点を示すノッチである。
【手続補正４】
【補正対象書類名】明細書
【補正対象項目名】００１７
【補正方法】変更
【補正の内容】
【００１７】
第７の発明に係る易開封包装袋は、第１の発明に係る易開封包装袋において、破り開始点は、その破り開始点を示す図柄模様である。上記図柄模様としては、例えば、絵、模様、紋様、図形、点、線、文字、数字、記号もしくはこれらを組み合わせた所望の図柄等である。
【手続補正５】
【補正対象書類名】明細書
【補正対象項目名】００１８
【補正方法】変更
【補正の内容】
【００１８】
第８の発明に係る易開封包装袋は、第１の発明に係る易開封包装袋において、内容物が、破り開始点による破り進行方向に対して、５°〜８５°の角度で配置されている。
【手続補正６】
【補正対象書類名】明細書
【補正対象項目名】００１９
【補正方法】変更
【補正の内容】
【００１９】
第９の発明に係る易開封包装袋は、第１の発明に係る易開封包装袋において、破り開始点が形成されている周縁接着部の領域は、内容物方向に突出している。
【手続補正７】
【補正対象書類名】明細書
【補正対象項目名】００２０
【補正方法】変更
【補正の内容】
【００２０】
第１０の発明に係る易開封包装袋は、第６の発明に係る易開封包装袋において、ノッチは、単なる切込み形状、またはノッチからの破り進行方向に向けて先端が細くなっている形状を有している。
【手続補正８】
【補正対象書類名】明細書
【補正対象項目名】００２１
【補正方法】変更
【補正の内容】
【００２１】
第１１の発明に係る易開封包装袋は、第１の発明に係る易開封包装袋において、周縁接着部は、包装用フィルムの外縁部に形成されている。
【手続補正９】
【補正対象書類名】明細書
【補正対象項目名】００２２
【補正方法】変更
【補正の内容】
【００２２】
第１２の発明に係る易開封包装袋は、第１の発明に係る易開封包装袋において、周縁接着部の少なくとも一部は、包装用フィルムの外縁部より内側に形成され、破り開始点は包装用フィルムの外縁部に形成されている。
【手続補正１０】
【補正対象書類名】明細書
【補正対象項目名】００２３
【補正方法】変更
【補正の内容】
【００２３】
第１３の発明に係る易開封包装袋は、第１の発明に係る易開封包装袋において、周縁接着部は、１枚の包装用フィルムを折り曲げることによって生じる１辺以外の周縁に形成される。
【手続補正１１】
【補正対象書類名】明細書
【補正対象項目名】００２４
【補正方法】変更
【補正の内容】
【００２４】
第１４の発明に係る易開封包装袋は、第１の発明に係る易開封包装袋において、包装用フィルムは、少なくとも２枚の包装用フィルムを重ね合わせて構成される。
【手続補正１２】
【補正対象書類名】明細書
【補正対象項目名】００２５
【補正方法】変更
【補正の内容】
【００２５】
第１５の発明に係る易開封包装袋は、第１の発明に係る易開封包装袋において、包装用フィルム上において、破り開始点からの開封時の破り進行方向を内容物に誘導する破断線が形成され、さらに、この破断線と内容物との接触角度は、５°〜８５°である。
【手続補正１３】
【補正対象書類名】明細書
【補正対象項目名】００２６
【補正方法】変更
【補正の内容】
【００２６】
第１６の発明に係る易開封包装袋は、第１の発明に係る易開封包装袋において、包装用フィルムにおける内容物の周辺領域が、ブリスター構造になっている。
【手続補正１４】
【補正対象書類名】明細書
【補正対象項目名】００２７
【補正方法】変更
【補正の内容】
【００２７】
第１７の発明に係る易開封包装袋は、第１の発明に係る易開封包装袋において、周縁接着部は、熱可塑性樹脂層を含む。
【手続補正１５】
【補正対象書類名】明細書
【補正対象項目名】００２８
【補正方法】変更
【補正の内容】
【００２８】
第１８の発明に係る易開封包装袋は、第１の発明に係る易開封包装袋において、包装用フィルムと周縁接着部の少なくとも一方は略四角形状である。
【手続補正１６】
【補正対象書類名】明細書
【補正対象項目名】００２９
【補正方法】変更
【補正の内容】
【００２９】
第１９の発明に係る易開封包装袋は、第１の発明に係る易開封包装袋において、包装用フィルムの一方の厚み幅は、重ね合わせた他方の包装用フィルムの厚み幅よりも薄い。
【手続補正１７】
【補正対象書類名】明細書
【補正対象項目名】００３０
【補正方法】変更
【補正の内容】
【００３０】
第２０の発明に係る易開封包装袋は、第１９の発明に係る易開封包装袋において、内容物の形状ラインに沿って屈曲して進行する破り目側の包装用フィルムの厚み寸法は、そのまま進行していく破り目側の包装用フィルムの厚み寸法より短い。
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】変更
【補正の内容】
【００３３】
第２１の発明に係る易開封包装袋は、第１の発明に係る易開封包装袋において、内容物が、包装用フィルムの長手方向に対して、５°〜８５°の角度で配置される。
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】変更
【補正の内容】
【００３７】
第２２の発明に係る易開封包装袋の開封方法は、基材層と接着層とを有する包装用フィルムをその接着層面が互いに対向するように重ね合わせて、包装用フィルムの周縁を互い接着することで周縁接着部を形成し、周縁接着部に少なくとも１つ以上のノッチ、または破り開始点を示す図柄模様が形成された包装袋内の内容物を、ノッチまたは破り開始点を示す図柄模様を起点として包装袋を引き裂くことにより開封して取り出す易開封包装袋の開封方法である。そして、本開封方法は、ノッチまたは破り開始点を示す図柄模様を起点として破り目が内容物に対して斜めに進行する工程と、破り目が内容物に接触もしくはその近傍に到達すると破り目は２つに分断され、第１の破り目はそのまま進行していくが、第２の破り目は内容物に沿って屈曲して進行する工程と、内容物の端部を露出させる工程と、を備えている。
【国際調査報告】
2013018370.tif 000029
2013018370.tif 000030
2013018370.tif 000031
2013018370.tif 000032
2013018370.tif 000033
2013018370.tif 000034
2013018370.tif 000035
2013018370.tif 000036